【手続補正書】
【提出日】平成21年5月11日(2009.5.11)
【手続補正１】
【補正対象書類名】明細書
【補正対象項目名】０００３
【補正方法】変更
【補正の内容】
【０００３】
【特許文献】特開２０００−１６４５４（Ｐ２０００−１６４５４Ａ）
【特許文献】特開２００１−３５４２６０（Ｐ２００１−３５４２６０Ａ）
【特許文献】特開２００３−４０３１２（Ｐ２００３−４０３１２Ａ）
【特許文献】特開２００３−７２７６０（Ｐ２００３−７２７６０Ａ）
【特許文献】特開２００５−１９３９７８（Ｐ２００５−１９３９７８Ａ）
【特許文献】特開２００６−１２３９６０（Ｐ２００６−１２３９６０Ａ）
【特許文献】特開２００６−２０４８４０（Ｐ２００６−２０４８４０Ａ）
【手続補正２】
【補正対象書類名】明細書
【補正対象項目名】０００９
【補正方法】変更
【補正の内容】
【０００９】  専用ストローが付いた飲み口器やストローを装着する飲み口器が提供されているが、前記のストローに関する問題があるとともに、ストローを折り曲げてキャップに収納するなどの複雑な手順が必要であり、また指で触ったストローをペットボトルの中に押し込んで保管することによる衛生面での問題があった。
さらにストローを装着する飲み口器については、口に含む吸い口部の形状はストローを装着するために円筒形に限られるとともに、使用するストローは吸い口部に設けられた開口部に挿入でき、挿入したストローはペットボトルと一体化させるため開口部に密着させる必要があった。
【手続補正３】
【補正対象書類名】明細書
【補正対象項目名】００１０
【補正方法】変更
【補正の内容】
【００１０】  本発明が解決しようとする課題は、ペットボトル等の飲料を飲むにあたって、簡単な操作で、口に含みやすく、安全で、こぼさずに、むせることなく、飲み疲れすることのない飲み口器を提供することにある。
【手続補正４】
【補正対象書類名】明細書
【補正対象項目名】００１１
【補正方法】変更
【補正の内容】
【００１１】  併せて、該飲み口器をキャップで簡単に蓋をすることができ、かつ、蓋をすることによってペットボトル等の飲料が外部に漏れ出ることを防ぎ、飲み口器及びペットボトル等の飲料を清潔に保管するとともに飲み残しの飲料があるペットボトル等を携帯するのにも便利な漏水防止キャップを提供することにある。
【手続補正５】
【補正対象書類名】明細書
【補正対象項目名】００１７
【補正方法】変更
【補正の内容】
【００１７】  本発明の請求項１又は請求項２に記載の吸い口部に係る形状は、介護用品の吸いのみのように細長い形状にしたり、湾曲させたり、口に含む部分を楕円状にするなど、さらに吸い口部の上壁からの長さ、肉厚、開口部に係る形状や大きさについても、特に限定するものではなく、利用者にとって最適なものとすればよい。
【手続補正６】
【補正対象書類名】明細書
【補正対象項目名】００１９
【補正方法】変更
【補正の内容】
【００１９】  漏水防止キャップには、飲み口器ねじ部の外側に設けた雄ねじと着脱自在に螺合できる雌ねじを下端の内側に設け、また、飲み口器ねじ部と螺合したときに、飲み口器に蓋をするとともに飲み口器を構成する吸い口部の先端に設けられた開口部に栓をしてペットボトル等に入っている飲料を該開口部から外部に漏れ出ないようにし、飲み口器だけではなく、ペットボトル等に入っている飲料を衛生的に保管する開口部密着部をキャップの内側に設ける。
なお、この際において、ペットボトル等に飲み口器を螺合したときの該開口部の位置は、ペットボトル等の飲み口の内径の中心点と開口部の径の中心点を結んだ線は、飲み口器ねじ部の上壁から垂直となるように形成する。
【手続補正７】
【補正対象書類名】明細書
【補正対象項目名】００２０
【補正方法】変更
【補正の内容】
【００２０】  漏水防止キャップの大きさや肉厚、開口部密着部の材質については、特に限定するものではなく、利用者にとって最適なものとすればよい。
【手続補正８】
【補正対象書類名】明細書
【補正対象項目名】００２４
【補正方法】変更
【補正の内容】
【００２４】  前記の一体的に形成する方法の例としては、まずペットボトルに飲み口器ねじ部を螺合し、該飲み口器ねじ部の下端をペットボトルに溶着することにより飲み口器付きペットボトルを形成する。
【手続補正９】
【補正対象書類名】明細書
【補正対象項目名】００２６
【補正方法】変更
【補正の内容】
【００２６】  飲み口器付きペットボトルを形成した後、該飲み口器ねじ部に漏水防止キャップを螺合して開口部に栓をし、  その後に、該漏水防止キャップの下端と飲み口部のねじ部とを切り欠き状に溶着して、飲み口器付きペットボトルと漏水防止キャップを一体化させる。
【手続補正１０】
【補正対象書類名】明細書
【補正対象項目名】００２８
【補正方法】変更
【補正の内容】
【００２８】  本発明の請求項１に記載の飲み口器を使用すれば、飲み口器をペットボトル等の飲み口に螺合するという簡単な操作をするだけで、ペットボトル等の飲料が飲みやすく、こぼすことなく、むせることもない。またストローを確保する必要も無く、ストローであやまって喉や顔等を突く危険性もなく、呼吸を止めて飲料を吸い上げるという動作を繰り返す必要がないので飲み疲れをするということもない。さらには、指で触ったストローをペットボトル等の中に押し込む必要もないので衛生的であり、洗浄も簡単である。
【手続補正１１】
【補正対象書類名】明細書
【補正対象項目名】００２９
【補正方法】変更
【補正の内容】
【００２９】  吸い口部に係る形状は、円筒形に限定されず、細長い形状にしたり、湾曲させたり、口に含む部分を楕円状にするなど、利用者にとって最適なものとすることができることから、幼児、高齢者、障害者また横臥している病気の人などにも水分補給が容易である。
【手続補正１２】
【補正対象書類名】明細書
【補正対象項目名】００３０
【補正方法】変更
【補正の内容】
【００３０】  本発明の請求項２に記載の、前記の請求項１に記載の吸い口部の全部又は一部を蛇腹状にした飲み口器を使用した場合は、吸い口部を伸縮また回動自在とすることができるので、請求項１記載の飲み口器の効果に併せ、ペットボトル等に入った飲料を飲む際に吸い口部を好みの長さにしたり、また自由な角度をとることができる。
【手続補正１３】
【補正対象書類名】明細書
【補正対象項目名】００３１
【補正方法】変更
【補正の内容】
【００３１】  このことから、ペットボトル等に入っている飲料の残量に応じ、ペットボトル等に螺合した吸い口部を口に含めたままで顔を持ち上げることなく、ペットボトル等の底を持ち上げることにより飲むことができ、病気等で横臥している人をも含め、水分補給が、より容易となる。
【手続補正１４】
【補正対象書類名】明細書
【補正対象項目名】００３２
【補正方法】変更
【補正の内容】
【００３２】  本発明の請求項１及び請求項２に記載の飲み口器は、ペットボトル等の飲み口の規格は統一されていることから他のペットボトル等に転用することができ、また何度でも使用することが可能である。
【手続補正１５】
【補正対象書類名】明細書
【補正対象項目名】００３３
【補正方法】変更
【補正の内容】
【００３３】  本発明の請求項３に記載の飲み口器及び漏水防止キャップは、前記の飲み口器に螺合するという簡単な操作をするだけで、該ペットボトル等の飲み口器を、簡単に蓋をすることができ、かつ、蓋をすることによってペットボトル等の飲料を外部に漏れ出ないようにし、飲み口器だけではなく、ペットボトル等に入っている飲料を衛生的に保管することができる。
【手続補正１６】
【補正対象書類名】明細書
【補正対象項目名】００３４
【補正方法】変更
【補正の内容】
【００３４】  該飲み口器及び漏水防止キャップは携帯にも便利であることから、室内だけではなく、外出時の水分補給も容易である。
【手続補正１７】
【補正対象書類名】明細書
【補正対象項目名】００３５
【補正方法】変更
【補正の内容】
【００３５】  さらに飲み口器は、直接に口からペットボトル等の飲料を飲むだけでなく、注ぎ口としても利用することができ、さらに漏水防止キャップで衛生的に密封できることから砂糖や醤油などの入れ物としても活用できるので経済的である。
【手続補正１８】
【補正対象書類名】明細書
【補正対象項目名】００３６
【補正方法】変更
【補正の内容】
【００３６】  本発明の請求項４の飲み口器及び漏水防止キャップ付きペットボトルを使用すると、本発明の請求項１から請求項３の効果を併せ、あらためて、飲み口器また漏水防止キャップを購入する必要がない。
【手続補正１９】
【補正対象書類名】明細書
【補正対象項目名】００３８
【補正方法】変更
【補正の内容】
【００３８】  本発明を実施するための最良の形態を図１及び図２を使用して説明する。図１は、本発明である請求項３であるペットボトル等用飲み口器及び漏水防止キャップであって、飲み口器に漏水防止キャップで蓋をしたときの図である。請求項１記載の飲み口器の飲み口器ねじ部に雄ねじを設け、さらに該飲み口器と螺合することによって吸い口部の先端に設けられた開口部に栓をする。ここでの吸い口部の形状は円筒形としている。
１０は飲み口器、２０は漏水防止キャップである。
【手続補正２０】
【補正対象書類名】明細書
【補正対象項目名】００３９
【補正方法】変更
【補正の内容】
【００３９】  図２は、請求項３であるペットボトル等用飲み口器及び漏水防止キャップのそれぞれの図である。
なお、ここでの飲み口器については、請求項１記載の飲み口器の飲み口器ねじ部に雄ねじを設けたものを使用し、また吸い口部の形状は円筒形としている。
【手続補正２１】
【補正対象書類名】明細書
【補正対象項目名】００４０
【補正方法】変更
【補正の内容】
【００４０】  飲み口器１０に関し、１１は飲み口器ねじ部、１２は飲み口器ねじ部の上壁、１３はペットボトル等の飲み口部の雄ねじと螺合できるように飲み口器ねじ部１１の内側に設けた雌ねじ、１４は飲み口器１０に蓋をする漏水防止キャップ２０を螺合するために飲み口器ねじ部１１の外側に設けた雄ねじ、１５は中空とした吸い口部、１６はペットボトル等に入っている飲料を吸い口部を貫通して外部に流出させるために吸い口部の先端に設けられた開口部である。
【手続補正２２】
【補正対象書類名】明細書
【補正対象項目名】００４１
【補正方法】変更
【補正の内容】
【００４１】  吸い口部１５は、飲み口器ねじ部の上壁１２から垂直の円筒状とし、長さは２ｃｍ、外径は１．５ｃｍ、吸い口部の先端に設けられた開口部である内径は１ｃｍとする
【手続補正２３】
【補正対象書類名】明細書
【補正対象項目名】００４２
【補正方法】変更
【補正の内容】
【００４２】  なお、ペットボトル等に飲み口器を螺合したときにおいて、ペットボトル等の飲み口の内径の中心点と吸い口部の先端に設けられた開口部１６の径の中心点を結んだ線は、飲み口器ねじ部の上壁から垂直となるように形成する。したがって、このように形成すれば、吸い口部１５の形状は円筒形に限らず、漏水防止キャップで蓋をすることができれば、利用者にとって最適なものとすればよい。
【手続補正２４】
【補正対象書類名】明細書
【補正対象項目名】００４４
【補正方法】変更
【補正の内容】
【００４４】  漏水防止キャップの内側に設けられた開口部密着部２２は、漏水防止キャップの内側に半球状の突起とし、漏水防止キャップと同一の材質で、漏水防止キャップと一体的に形成する。
【手続補正２５】
【補正対象書類名】明細書
【補正対象項目名】００４６
【補正方法】変更
【補正の内容】
【００４６】  次に、実施例２である請求項１記載の飲み口器を構成する吸い口部１５の一部を  蛇腹状１７に形成し、吸い口部に伸縮また回動機能をもたせた飲み口器である。
図３は、本発明の請求項１に記載の飲み口器を構成する吸い口部の一部を蛇腹状にしたときの図である。
なお、本発明の請求項１及び請求項２の飲み口器は、単独で使用することも可能である。この場合においては、請求項３に記載の漏水防止キャップを併用するための雄ねじ１４を設けなくともよく、さらに飲み口器を漏水防止キャップで蓋をすることがないことから該吸い口部の形状は、大きさや開口部の位置など、利用者にとって最適なものとすればよい。
【手続補正２６】
【補正対象書類名】明細書
【補正対象項目名】００４７
【補正方法】変更
【補正の内容】
【００４７】  次に実施例３である請求項４に記載の飲み口器及び漏水防止キャップ付きペットボトルについて説明する。
図４は、飲み口器及び漏水防止キャップ付きペットボトルの形成過程において、
請求項３に記載の飲み口器とペットボトルを一体としたときの図である。
この図において、飲み口器の吸い口部の形状は円筒形としている。
１０は飲み口器、１１は飲み口器ねじ部、１４は飲み口器ねじ部１１の外側に設けた雄ねじ、１８は飲み口器ねじ部の下端を切りか欠き状にペットボトルに溶着した状態を示す。
【手続補正２７】
【補正対象書類名】明細書
【補正対象項目名】００５０
【補正方法】変更
【補正の内容】
【００５０】  次に、前記ペットボトルと一体化した飲み口器１０に漏水防止キャップ２０を螺合して漏水防止キャップの内側に設けられた開口部密着部２２をもって吸い口部の先端に設けられた開口部１６に栓をし、その後に飲み口部のねじ部１１に、該漏水防止キャップの下端を切り欠き上に溶着２３する。